(57)【要約】【課題】  追記型光ディスクにおいて、ディスク取出しや電源オフする際に、ディスク上の記録管理データと、メモリ上の記録管理データを一致させるために、ディスク上の記録管理データを更新する必要がある。この際、ディスク上の記録管理データの更新処理に時間がかかるという問題点がある。【解決手段】  本発明は、記録済容量と記録可能容量との割合を元にディスク記録管理情報の更新可否の判断をするための手段を設け、ユーザデータ記録終了時に極力ディスク記録管理情報を記録するようにすることで、電源オフ又はディスク取り出しの際には極力記録管理データを更新しないようにし、電源オフ又はディスク取り出し時間を短縮した使い勝手の良い記録再生装置を提供する。【選択図】  図１
2006127560.tif 000002
【特許請求の範囲】
【請求項１】
ユーザデータを記録するユーザデータ領域と、
前記ユーザデータの位置情報を記録する記録管理領域と、
を有する追記型光ディスクを用いる記録方法であって、
前記ユーザデータ領域の未記録容量と、
前記記録管理領域の未記録容量と、
に基づき前記ユーザデータに関する位置情報を前記記録管理領域に記録するか否かの判断を行う記録方法。
【請求項２】
請求項１記載の記録方法であって、
ユーザデータを前記ユーザデータ領域に記録した後、
前記ユーザデータに関する位置情報を前記記録管理領域に記録するか否かの判断を行う記録方法。
【請求項３】
請求項１及び２記載の記録方法であって、
前記ユーザデータ領域の記録済容量と未記録容量との割合と、
前記記録管理領域の記録済容量と未記録容量との割合と、
に基づき前記ユーザデータに関する位置情報を前記記録管理領域に記録するか否かの判断を行う記録方法。
【請求項４】
請求項１及び２記載の記録方法であって、
前記ユーザデータ領域の未記録容量と、その後追加記録したユーザデータの容量との割合と、
前記記録管理領域の未記録容量と、その後追加記録する管理情報の容量との割合と、
に基づき前記ユーザデータに関する位置情報を前記記録管理領域に記録するか否かの判断を行う記録方法。
【請求項５】
請求項１乃至４記載の記録方法であって、
ユーザデータを前記ユーザデータ領域に記録した後、前記ユーザデータの最終アドレスを示す位置情報をメモリに記憶し、
前記追記型光ディスクの排出時には、前記メモリが記憶する位置情報と前記記録管理領域に記録する位置情報とを比較し、前記記録管理領域の更新をするか否かの判断を行う記録方法。
【請求項６】
請求項１乃至４記載の記録方法であって、
ユーザデータを前記ユーザデータ領域に記録した後、前記ユーザデータの最終アドレスを示す位置情報をメモリに記憶し、
前記追記型光ディスクが用いられる機器の電源オフ時には、前記メモリが記憶する位置情報と前記記録管理領域に記録する位置情報とを比較し、前記記録管理領域の更新をするか否かの判断を行う記録方法。
【請求項７】
請求項６記載の機器は、ビデオカメラである記録方法。
【請求項８】
ユーザデータを記録するユーザデータ領域と、
前記ユーザデータの位置情報を記録する記録管理領域と、
を有する追記型光ディスクを用いる記録装置であって、
前記追記型光ディスクからデータを読取る読取り手段と、
前記ユーザデータ領域の未記録容量と、
前記記録管理領域の未記録容量と、
に基づき前記ユーザデータに関する位置情報を前記記録管理領域に記録するか否かの判断を行う判断手段と、
を有する記録装置。
【請求項９】
請求項８記載の記録装置であって、
ユーザデータを前記ユーザデータ領域に記録した後、
前記判断手段がユーザデータに関する位置情報を前記記録管理領域に記録するか否かの判断を行う記録装置。
【請求項１０】
請求項８及び９記載の記録装置であって、
前記判断手段は、
前記ユーザデータ領域の記録済容量と未記録容量との割合と、
前記記録管理領域の記録済容量と未記録容量との割合と、
に基づき前記ユーザデータに関する位置情報を前記記録管理領域に記録するか否かの判断を行う記録装置。
【請求項１１】
請求項８乃至１０記載の記録装置であって、
ユーザデータを前記ユーザデータ領域に記録した後、前記ユーザデータの最終アドレスを示す位置情報を記憶するメモリと、
前記メモリが記憶する位置情報と前記記録管理領域に記録する位置情報とを比較する比較手段と、
を有し、
前記追記型光ディスクの排出時には、前記比較手段の比較に基づき前記記録管理領域の更新をするか否かの判断を行う記録装置。
【請求項１２】
請求項８乃至１０記載の記録装置であって、
ユーザデータを前記ユーザデータ領域に記録した後、前記ユーザデータの最終アドレスを示す位置情報を記憶するメモリと、
前記メモリが記憶する位置情報と前記記録管理領域に記録する位置情報とを比較する比較手段と、
を有し、
前記記録装置の電源オフ時には、前記比較手段の比較に基づき前記記録管理領域の更新をするか否かの判断を行う記録装置。
【請求項１３】
請求項８乃至１２記載の記録装置は、ビデオカメラである記録装置。
【発明の詳細な説明】
【技術分野】
【０００１】
本発明は、未記録領域に一度だけ記録は出来るが、一旦書き込んだデータを消去書き換えすることは出来ない追記型光ディスクの記録方法及び装置に関するものである。
【背景技術】
【０００２】
従来、高密度、大容量の再生専用光ディスクが開発されている。特に、映像音声データを収録したＤＶＤ−ＲＯＭ（Ｄｉｇｉｔａｌ  Ｖｅｒｓａｔｉｌｅ  Ｄｉｓｃ−Ｒｅａｄ  Ｏｎｌｙ  Ｍｅｍｏｒｙ）ディスクは、高画質の映像を安価な再生専用ＤＶＤプレーヤで再生できるため、広く一般に普及している。
【０００３】
これに対し、近年、データを一度だけ記録できるが、一旦書き込んだデータを消去書き換えすることは出来ない追記型光ディスク、例えばＤＶＤ−Ｒ（ＤＶＤ−Ｒｅｃｏｒｄａｂｌｅ）が開発されており、追記型光ディスクにデータを記録する機器としてビデオレコーダやビデオカメラなどが商品化されている。この追記型光ディスクは、時間間隔を空けながらデータを追記していくことが可能で、かつ追記を完了させるファイナライズ処理後には、これ以上記録を行うことの出来ない再生専用のディスクとすることが可能である。また、ＤＶＤビデオフォーマットでビデオデータを記録することにより、再生専用のＤＶＤプレーヤでも再生させることも可能である。
【０００４】
このような追記型光ディスクをＤＶＤプレーヤで再生するためには、その最終的なデータ及びデータ構造は再生専用光ディスクと互換性のある状態になされなければならない。しかしながら、追記型光ディスクでは、データの書き換えが行えないことから、再生専用の光ディスクのデータ構造の外、例えば内周側に、ディスクの記録状態を管理するための記録管理領域を設けている。つまり、追記可能なファイナライズ処理前の状態においては、ユーザデータの記録位置などのディスクの記録状態を記録管理領域に順次記録しておき、ファイナライズ処理時にそのデータを用いて、リードイン領域やリードアウト領域のデータを作成し記録することで、再生専用光ディスクと同じデータ及びデータ構造とし、互換性を確保することが出来る。
【０００５】
以下、図を用いてさらに詳しく説明する。図２は、追記型光ディスクの領域構造図である。
【０００６】
ディスクの先頭である最内周側より順に、ディスク記録管理領域２０１、リードイン領域２０２、ユーザデータ記録領域２０３、リードアウト領域２０４に区分される。ディスク記録管理領域２０１には、記録されたユーザデータの最終アドレスの基準を示す位置情報や、記録途中状態やファイナライズ処理済み状態などのディスク記録情報を含むディスク記録管理情報が順次記録される。また、リードイン領域２０２や、リードアウト領域２０４には、ファイナライズ処理を行った後にディスクアクセスを行うための、ディスクアクセス情報が記録される。ディスクアクセス情報には、ファイナライズ処理後のディスクの記録容量などが含まれている。
【０００７】
また、本例では、さらにユーザデータ記録領域２０３は、リードイン領域２０２側よりファイルシステム領域２０５、映像音声管理情報領域２０６、映像音声記録領域２０７に区分される。ファイルシステム領域２０５には、ファイナライズ処理を行った後の映像音声データのまとまりであるファイルの各ファイル位置情報等が記録される。映像音声管理情報領域２０６には、映像音声データを管理する管理データが順次記録される。この管理データには、ファイナライズ処理を行う前の未確定の映像音声管理データと、ファイナライズ処理を行った後の確定した映像音声管理データが含まれる。映像音声記録領域２０７には、ＭＰＥＧ（Ｍｏｖｉｎｇ  Ｐｉｃｔｕｒｅ  Ｅｘｐｅｒｔｓ  Ｇｒｕｐｅ）方式でデータ圧縮された映像音声データが順次記録される。
【０００８】
なお、ディスク記録管理領域２０１より内側には、記録パワーを求める為の試し書き領域が存在するが、本説明では省略している。
【０００９】
また、追記型光ディスクの各領域の内、ディスク管理領域２０１は、再生専用光ディスクには存在しないが、それ以外の各領域については、再生専用光ディスクと同じ領域構造となっているため、ファイナライズ処理後には再生専用ディスクとして使用することが出来る。
【００１０】
追記型光ディスクの各領域は、一旦書き込んだデータを消去書き換えすることが出来ない。そのため、このようなディスクにユーザデータの追記記録を行っている段階では、記録された各ファイルのファイル位置情報や、最終的なディスクの記録容量などが確定していないので、ファイナライズ処理する際に最終的に確定する情報を記録する領域であるリードイン領域２０２、リードアウト領域２０４、ファイルシステム領域２０５及び映像音声管理情報領域２０６の一部には記録を行わず、ユーザデータ記録領域２０３の各領域の記録位置情報を含むディスク記録管理情報を、ディスク記録管理領域２０１に記録する。
【００１１】
ところで、映像音声記録再生装置の電源オン時またはディスクの挿入時には、ディスク記録管理領域２０１に記録してある最終アドレスの基準を示す位置情報を元に未記録部分の先頭位置を検索する。このとき、ディスク記録管理領域２０１に記録されている位置情報が最新の情報でない場合にはファイルシステム領域２０５及び映像音声管理情報領域２０６及び映像音声記録領域２０７の各未記録位置をサーチすることになり、この間は記録や再生ができない。従って、記録毎に最新の位置情報をディスク記録管理領域２０１に記録することが望ましい。しかしながら、ディスク記録管理領域２０１についても、一旦書き込んだデータを消去書き換えすることは出来ず、かつ領域の大きさも有限であるため追記の記録回数も制限されているので、１回の記録毎に必ず最新情報を記録することをしないのが一般的である。
【００１２】
例えば、１回の記録毎に、必ずディスク記録管理領域２０１に最新のディスク記録管理情報を記録すると、固定回数記録した後は、ディスク記録管理情報の更新は行えなくなる。特にビデオカメラのように、細かい映像音声データをいくつも記録する場合は、ディスク記録管理情報の更新は行えなくなる場合があるという問題があるためである。また、ディスク記録管理情報の記録回数の制限により、ユーザデータ記録領域２０３の記録最大容量を制限することも考えられるが、それではディスクの容量を有効に使用できなくなる。またさらに、ファイナライズ処理時には、以降のディスクへの追記を禁止するために、ディスク記録管理情報をファイナライズ処理済みとして、ディスク記録管理領域２０１に記録を行う。つまり、ファイナライズ処理時にも記録管理領域２０１の未記録部分が残っている必要がある。
【００１３】
この問題に関する従来技術では、ファイル管理情報をメモリに記憶するように構成し、データ書き込みに応じて、メモリ上のファイル管理情報を最新情報に更新しておき、電源オフ時またはディスク（記録媒体）の取り出し時に、更新されているメモリ上のファイル管理情報を、ディスクに記録することで、ファイル管理情報の追記回数を減らすことが出来るようになっている。（例えば、特許文献１参照）
【特許文献１】特開２００２−２３８０１５号公報
【発明の開示】
【発明が解決しようとする課題】
【００１４】
上述した特許文献１記載の従来技術の方法では、ユーザデータ記録後の、ディスク排出や電源オフ時に、メモリ上にある最新のディスク記録管理情報をディスク記録管理領域２０１に記録するようになっている。しかしながら、このディスク排出や電源オフ時に最新のディスク記録管理情報を記録する処理は少なからず時間がかかってしまうという課題がある。つまり、記録停止後は省電力のためにディスクの回転は停止しているので、この状態から最新のディスク記録管理情報を記録するためには、まずディスク回転させ、回転安定を待ち、その後光ヘッドの記録領域への移動、ディスク記録管理情報の記録、ディスク回転停止などの一連の処理を行わなくてはならず、少なくとも数秒（例えば４秒）は必要である。特に、ビデオカメラのような機器の場合、ユーザが撮影要求をした後、すぐに映像音声データを記録するのが望ましいが、ディスク排出や電源オフ操作に時間がかかると、すぐに次の電源オンやディスク挿入を行うことが出来ず、記録を始めるまでに時間を要してしまい、一瞬のシャッターチャンスを逃してしまうこともあり得るため課題がある。
【００１５】
本発明の目的は、以上の点を考慮し、ユーザデータ記録終了時に極力ディスク記録管理情報を記録するようにすることで、電源投入時やディスク挿入時に素早く記録を行うことができるとともにディスク排出や電源オフの処理時間を短縮し、有限のディスク記録管理領域に効率的に記録を行うディスク記録装置を提供することにある。
【課題を解決するための手段】
【００１６】
ユーザデータを記録するユーザデータ領域とユーザデータの位置情報を記録する記録管理領域とを有する追記型光ディスクを用いる記録方法であって、ユーザデータ領域の未記録容量と記録管理領域の未記録容量とに基づき前記ユーザデータに関する位置情報を記録管理領域に記録するか否かの判断を行う。
【発明の効果】
【００１７】
以上により、使い勝手の良いディスク記録装置を提供することができる。
【発明を実施するための最良の形態】
【００１８】
以下、本発明の実施の形態の一例を図面を用いて説明する。
【実施例１】
【００１９】
図２は、本実施例の追記型光ディスクの領域構造図でもある。
【００２０】
追記型光ディスクの領域構造は、背景技術で述べた構造と同一であるため、ここでは説明を省略する。
【００２１】
次に、本実施例によるディスク記録装置における構成及び映像音声データの記録処理の流れを図１及び図３を用いて説明する。
【００２２】
図１は本実施例のディスクへの映像音声データの記録手順を示すフローチャート、図３は本実施例のディスク記録装置を示すブロック図である。
【００２３】
まず、本装置の構成を図３を用いて説明する。３０１は記録媒体である追記型光ディスク、３０２は光ヘッド部、３０３はディスクを回転させるスピンドルモータ、３０４は装置全体を制御する制御手段、３０５はデータを記録再生する記録再生手段、３０６はメモリ、３０７は装置の電源、３０８はディスクの排出手段、３０９はレンズ、３１０は固体撮像素子、３１１は信号処理手段、３１２はバッファメモリ、３１３はマイクである。
【００２４】
次に、本装置における映像音声データの記録処理の流れを説明する。ステップ１０１において、追記型光ディスクを挿入又は電源オンすると、制御手段３０４はスピンドルモータ３０３を駆動し追記型光ディスク３０１を回転させ、サーボの安定性などを高めるための学習処理を行う。ステップ１０２において、制御手段３０４は記録再生手段３０５にディスク記録管理領域２０１に記録されている最新のディスク記録管理情報を読み出すための指示をし、記録再生手段３０５は光ヘッド部３０２を介し、ディスク記録管理領域２０１から最新のディスク記録管理情報を読み出し、メモリ３０６に出力する。次にステップ１０３で、制御手段３０４は、ファイルシステム領域２０５及び映像音声管理情報領域２０６及び映像音声記録領域２０７の次に記録する位置が確定しているかの判断を行う。
【００２５】
ここで、前回のユーザデータ記録後にディスク記録管理情報をディスク記録管理領域２０１に正常に記録を行い、かつ追記型光ディスク３０１が排出されないまま電源がオフされ、再度電源オンされた場合は、ユーザデータ記録領域２０３に新たなデータが追記されていないため、メモリ３０６に格納されているディスク記録管理情報が最新情報である。従って、メモリ３０６に格納されているディスク記録管理情報の各領域記録最終アドレスより、次に記録する位置が確定する。この場合は、ステップ１０４の処理は行わず、ステップ１０５に移行する。
【００２６】
ステップ１０３において、新たにディスクが挿入された時などの前回の記録時にディスク記録管理領域２０１に記録ディスク記録管理情報を記録して以降、例えば他の機器でユーザデータ記録領域２０３に新たなデータが追記されているような可能性がある場合や、ディスク排出時や電源オフ時に、最新のディスク記録管理情報を記録しなかった場合などは、ディスク記録管理領域２０１から読み取りメモリ３０６に格納したディスク記録管理情報が最新情報でない場合がありうる。従って、各領域の次に記録する位置が確定しない為、ステップ１０４において、記録再生手段３０５に、ファイルシステム領域２０５及び映像音声管理情報領域２０６及び映像音声記録領域２０７の各未記録位置をサーチする指示を出す。記録再生手段３０５は、メモリ３０６に格納されているディスク記録管理情報の、各領域の記録されたユーザデータの最終アドレスを基準位置とし、この基準位置からファイルシステム領域２０５及び映像音声管理情報領域２０６及び映像音声記録領域２０７の各未記録位置をサーチする。さらにサーチした結果の各未記録部分の先頭位置を各領域の記録先頭位置として確定し、メモリ３０６に格納されているディスク記録管理情報を更新する。その後ステップ１０５へ移行する。以上の動作を行った後、映像音声データの記録再生が可能となる。
【００２７】
なお、ステップ１０４における各領域のサーチ処理において、メモリ３０６に格納されているディスク記録管理情報の各領域の最終記録アドレスと、実際の各領域の最終記録アドレスが一致していれば、比較的サーチ処理時間は短くてすむが、メモリ３０６に格納されているディスク記録管理情報の各領域の最終記録アドレスと、実際の各領域の最終記録アドレスとの差が大きければ大きいほど、サーチ処理に時間がかかり、映像音声データの記録再生が出来るまでの時間が長くなる。つまり、ディスク記録管理領域２０１に記録されている最新のディスク記録管理情報の各領域の最終記録アドレスと、実際の各領域の最終記録アドレスは、極力一致していることが記録再生可能までの時間短縮には望ましい。
【００２８】
ステップ１０５及びステップ１０６は、ユーザからの指示を待っている状態である。ステップ１０５において、ユーザから、映像音声データ記録の指示が発生すると、ステップ１０７に移行する。ここで、レンズ３０９から入射された光は固体撮像素子３１０で電気信号に変換され、映像データとして信号処理手段３１１に入力される。又、信号処理手段３１１にはマイク３１３から音声データが入力される場合もある。信号処理手段３１１はＭＰＥＧ圧縮処理を行い、この映像及び音声データはバッファメモリ３１２に蓄積される。制御手段３０４は、バッファメモリ３１２に蓄積された映像及び音声データを、記録再生手段３０５及び光ヘッド部３０２を介して、追記型光ディスク３０１の映像音声記録領域２０７の記録先頭位置から順に記録する。この記録動作に伴って、記録再生手段３０５はメモリ３０６に格納されているディスク記録管理情報を最新に更新する。その後、ユーザからの記録停止指示が発生すると、信号処理手段３１１からのバッファメモリ３１２への入力を停止し、バッファメモリ３１２に蓄積されている映像音声データをすべて、映像音声記録領域２０７に記録してから、ステップ１０８に移行する。
【００２９】
ステップ１０８において、制御手段３０４は、現時点までの映像音声管理データを、記録再生手段３０５及び光ヘッド部３０２を介して、追記型光ディスク３０１の映像音声管理情報領域２０６の記録先頭位置に記録し、この記録動作に伴って、記録再生手段３０５はメモリ３０６に格納されているディスク記録管理情報を更新する。
【００３０】
次に、ステップ１０９において、制御手段３０４はディスク記録管理領域２０１に最新のディスク記録管理情報を記録することが出来るかの第１の判断を行う。最新のディスク記録管理情報を記録できると判断した場合には、ステップ１１０において、制御手段３０４はメモリ３０６に格納されている最新のディスク記録管理情報を、記録再生手段３０５及び光ヘッド部３０２を介して、追記型光ディスク３０１のディスク記録管理領域２０１の記録先頭位置に記録した後ステップ１０５に移行する。ステップ１０９において、最新のディスク記録管理情報を記録できないと判断した場合には、ステップ１１０の処理は行わずにステップ１０５に移行する。尚、第１の判断方法の詳細は図６、７で説明する。
【００３１】
続けて映像音声データを記録する時は、ステップ１０７からの一連の処理を繰り返す。
【００３２】
また、ステップ１０８の映像音声管理情報領域２０６への映像音声管理データの記録中や、ステップ１１０のディスク記録管理領域２０１へのディスク記録管理情報の記録処理実行中に、さらにユーザからの記録開始指示がされた場合は、信号処理手段３１１からのバッファメモリ３１２への入力を再開して蓄積しておき、ステップ１０８及びステップ１１０の処理終了後、ステップ１０７に移行して、バッファメモリ３１２に蓄積された映像及び音声データを、映像音声記録領域２０７に記録するようにすることで、ユーザを待たせることなく、記録を再開することが出来る。
【００３３】
なお、停電など不正に電源が遮断されてしまった場合なども考慮し、ステップ１０７で映像音声記録領域２０７への記録中に、例えば、映像音声記録領域２０７への所定のデータ容量の記録毎に、適宜ディスク記録管理領域２０１に最新のディスク記録管理情報を記録しても良い。
【００３４】
次に、ステップ１０５で記録指示がない場合はステップ１０６において、ユーザから、ディスク排出又は電源オフの指示が発生すると、ステップ１１１に移行する。
【００３５】
ステップ１１１において、制御手段３０４は、ディスク記録管理領域２０１に最新のディスク記録管理情報を記録するべきかの第２の判断を行う。最新のディスク記録管理情報を記録すると判断した場合には、ステップ１１２において、制御手段３０４は、メモリ３０６に格納されている最新のディスク記録管理情報を、記録再生手段３０５及び光ヘッド部３０２を介して、追記型光ディスク３０１のディスク記録管理領域２０１の記録先頭位置に記録した後ステップ１１３に移行する。最新のディスク記録管理情報を記録しないと判断した場合には、ステップ１１２の処理は行わずにステップ１１３に移行する。
【００３６】
ステップ１１３において、制御手段３０４は、ユーザ指示がディスク排出の場合、ディスク排出手段３０８を介してディスクを排出する。ユーザ指示が電源オフであった場合には、装置の電源３０７の電源をオフする。尚、第２の判断方法については、後述する。
【００３７】
映像音声情報を追記型光ディスクに記録している途中の段階の各記録領域状態を図４を用いて説明する。図４は、映像音声情報を記録し、ファイナライズ処理する前の追記可能状態における、追記型光ディスクの各領域の状態を示す領域構成図である。本実施例では、映像音声情報をｎ回記録し、ディスク排出又は電源オフによるディスク記録管理情報の記録をｍ回行ったとしている。
【００３８】
映像音声記録領域２０７には映像音声データが、映像音声管理情報領域２０６には映像音声管理データがそれぞれｎ回分記録されている。
【００３９】
また、ディスク記録管理領域２０１には、ディスク記録管理情報が、ｍ回分記録されている。その他の部分については未記録となっている。
【００４０】
次にファイナライズ処理手順について説明する。図５はファイナライズ処理手順を示すフローチャートである。
【００４１】
ユーザからのファイナライズ処理実行指示を受けると、制御手段３０４は、まずステップ５０１において、最終的に確定した映像音声管理データを、追記型光ディスク３０１の映像音声管理情報領域２０６の未記録領域の記録先頭位置に記録し、さらにステップ５０２において、ＮＵＬＬデータ等のダミーデータを、映像音声管理情報領域２０６の残りの未記録部分全てに記録する。ステップ５０３において、最終的な各ファイル位置情報等を、追記型光ディスク３０１のファイルシステム領域２０５に、それぞれ記録再生手段３０５及び光ヘッド部３０２を介して記録する。次にステップ５０４において、制御手段３０４は、ディスク追記不可情報を含むディスク記録管理情報を追記型光ディスク３０１のディスク記録管理領域２０１の未記録領域の記録先頭位置に、記録再生手段３０５及び光ヘッド部３０２を介して記録する。
【００４２】
ステップ５０５において、映像音声記録領域２０７の最終記録位置の次の未記録領域からリードアウト領域２０４としてディスク記録管理情報等を記録し、ステップ５０６において、最新のディスク記録管理情報に基づいてリードイン領域２０２に記録するデータを作成し、リードイン領域２０２に記録を行う。
【００４３】
尚ここで、ファイナライズ処理を行う場合には、記録管理領域２０１には最低限１つのディスク記録管理情報が記録できるだけの未記録領域を確保しておく必要がある。確保の方法については後述する。
【００４４】
なお、ステップ５０１からステップ５０６の処理順番は、最終的なディスクデータ構造が同じになるならば、処理順番を前後させても良い。
【００４５】
次に、ステップ１０９における、第１の判断方法について図６を用いて説明する。
【００４６】
ステップ１０９においては、ディスク記録管理領域２０１の大きさによるディスク記録管理情報の記録回数の制限を考慮しつつ、出来るだけ、ディスク記録管理情報を記録するように判断することが望ましい。
【００４７】
ここで、映像音声記録領域２０７の既記録率と、ディスク記録管理情報の既記録率に着目する。映像音声記録領域２０７の既記録率とは、映像音声記録領域２０７の最大記録可能容量に対する既に記録されている映像音声データの記録容量の割合である。ディスク記録管理情報の既記録率とは、ディスク記録管理領域２０１へのディスク記録管理情報の最大記録数に対する既に記録されているディスク記録管理情報記録数の割合である。
【００４８】
図６は、映像音声記録領域２０７の既記録率とディスク記録管理情報の既記録率の関係を示したグラフである。横軸は映像音声記録領域２０７の既記録率、縦軸はディスク記録管理情報の既記録率である。
【００４９】
ここで、映像音声記録領域２０７の既記録率とディスク記録管理情報の既記録率の関係がＡ線より上にある場合、映像音声記録に対し、ディスク記録管理情報が多く記録されていることを示している。つまり、この割合のまま、ディスク記録管理領域２０１への記録を進めると、映像音声記録領域２０７の容量を使い切る前に、ディスク記録管理領域２０１の容量を使い切ってしまい、それ以上ディスク記録管理領域２０１へのディスク記録管理情報の記録が行えなくなる可能性が高い。
【００５０】
逆に映像音声記録領域２０７の既記録率とディスク記録管理情報の既記録率の関係がＡ線より下にある場合、映像音声記録に対し、ディスク記録管理情報記録が少ないことを示している。この割合であれば、ディスク記録管理領域２０１への記録をしたとしても、映像音声記録領域２０７の容量を使い切るまでに、ディスク記録管理領域２０１の容量を使い切ることは無いと考えられ、映像音声記録領域２０７の最大記録可能容量を有効に使用することが出来る。
【００５１】
つまり、ステップ１０９において、映像音声記録領域２０７の既記録率と、ディスク記録管理情報の既記録率の関係が、Ａ線上またはＡ線より下にあれば、映像音声記録領域２０７の記録容量を無駄にすることなく、更なるディスク記録管理情報の記録することが出来ると判断できる。
【００５２】
以上を、計算式で表すと以下の式１．１となる。
【００５３】
（ｂ１／ｂ２）／（ａ１／ａ２）≦１              ‥‥‥  式１．１
ａ１：既に記録されている映像音声データ容量
ａ２：映像音声記録領域２０７の最大記録容量
ｂ１：既に記録されているディスク記録管理情報記録数
ｂ２：ディスク記録管理領域２０１へのディスク記録管理情報の最大記録数
【００５４】
式１．１が成立した場合に、ディスク記録管理領域２０１にディスク記録管理情報を記録しても良いと判断できることとなる。
【００５５】
ここで、式１．１の判断によってディスク記録管理情報を記録した結果、図６におけるＡ線を超える場合があることを考慮した場合は、ディスク記録管理情報を記録した結果としてＡ線上またはＡ線より下にするために、既に記録されているディスク記録管理情報記録数ｂ１に、次に記録するディスク記録管理情報分の１を加えた式１．２とするようにしてもよい。
【００５６】
（（ｂ１＋１）／ｂ２）／（ａ１／ａ２）≦１              ‥‥‥  式１．２
【００５７】
さらに、ファイナライズ処理においては、記録管理領域２０１には、最低限１つのディスク記録管理情報が記録できるだけの未記録領域を確保しておく必要があることを考慮した場合は、既に記録されているディスク記録管理情報記録数ｂ１に、さらに１を加えた式１．３とするようにしてもよい。
【００５８】
（（ｂ１＋２）／ｂ２）／（ａ１／ａ２）≦１              ‥‥‥  式１．３
【００５９】
さらに、ステップ１１１における第２の判断により、ディスク記録管理領域２０１にディスク記録管理情報を記録する場合や、ディスクの汚れなどの要因により、ディスク記録管理領域２０１の未記録領域の先頭に正常に記録できず、再度ディスク記録管理領域２０１の次の未記録位置に記録を行う動作をする場合などのための予備の領域を、記録管理領域２０１に確保するとすることを考慮した場合は、式１．４とするようにしてもよい。
【００６０】
（（ｂ１＋α）／ｂ２）／（ａ１／ａ２）≦１              ‥‥‥  式１．４
α：ディスク記録管理情報記録予備数（但し  α＞＝２）
【００６１】
本実施例では、式１．４を第１の判断の基準としており、ステップ１０９において、式１．４が成立する場合、ステップ１１０に移行し、最新のディスク記録管理情報をディスク記録管理領域２０１の記録先頭位置に記録した後ステップ１０５に移行する。ステップ１０９において、式１．４が成立しない場合は、ステップ１１０の処理は行わずにステップ２０５に移行する。
【００６２】
ここで、本実施例では第１の判断の基準として、式１．４を使用したが、ファイナライズ処理用等の予備のための領域を必要としない場合は、式１．１、式１.２、式１.３のいずれかを使用しても構わない。
【００６３】
次に、ステップ１１１における、第２の判断方法について説明する。
【００６４】
ステップ１１１において、直近にディスク記録管理領域２０１に記録されたディスク記録管理情報とメモリ３０６に格納されているディスク記録管理情報とを比較し、それぞれのディスク記録管理情報が一致している場合は、最新のディスク記録管理情報を記録しないと判断し、ステップ１１２の処理を行わずにステップ１１３に移行する。つまり、映像音声情報の記録停止後において、ステップ１０９における第１の判断により、ステップ１１０において最新のディスク記録管理情報が記録されている場合には、ステップ１１２の処理を不要とするので、処理時間分、ディスク排出されるまでの時間や電源が実際にオフされるまでの時間が短縮される。
【００６５】
また、映像音声情報の記録停止後において、ステップ１０９における第１の判断により、ステップ１１０の処理を行わなかった場合には、ディスク記録管理領域２０１には最新のディスク記録管理情報が記録されていないので、次のディスク挿入や電源オンした際の起動時間を考慮すると、最新のディスク記録管理情報を記録したほうが望ましいため、最新のディスク記録管理情報を記録すると判断し、ステップ１１２において追記型光ディスク３０１のディスク記録管理領域２０１の記録先頭位置に記録した後ステップ１１３に移行する。
【００６６】
ここで、ファイナライズ処理においては、ディスク記録管理領域２０１には、最低限１つのディスク記録管理情報が記録できるだけの未記録領域を確保しておく必要があることを考慮した場合は、以下の式２．１にて判断するようにしてもよい。
【００６７】
ｂ４＞１            ‥‥‥  式２．１
ｂ４：ディスク記録管理領域２０１のディスク記録管理情報の残記録可能数
【００６８】
さらに、ディスクの汚れなどの要因により、ディスク記録管理領域２０１の未記録領域の先頭に正常に記録できず、再度ディスク記録管理領域２０１の次の未記録位置に記録を行う動作をする場合など、のための予備の領域を、記録管理領域２０１に確保するとすることを考慮した場合は、以下の式２．２となるようにしてもよい。
【００６９】
ｂ４＞β            ‥‥‥  式２．２
β：ディスク記録管理情報記録予備数（但し  β≧１）
【００７０】
本実施例では、式２．２を第２の判断の基準としており、ステップ１１１において、最新のディスク記録管理情報がディスク記録管理領域２０１に記録されていない場合で、式２．２が成立すると、ステップ１１２において最新のディスク記録管理情報をディスク記録管理領域２０１に記録し、ステップ１１３に移行する。式２．２が成立しない場合は、ステップ１１２の処理は行わずステップ１１３に移行する。
【００７１】
ここで、本実施例では第２の判断の基準として、式２．２を使用したが、予備のための領域を必要としない場合は、式２．１を使用しても構わない。
【００７２】
最後にファイナライズ処理におけるディスク記録管理情報の記録条件について説明する。ファイナライズ処理については、ファイナライズ処理後これ以上の追記は行わないことから、特に条件による判断は必要なく、ステップ５０４において、必ずファイナライズ処理済み状態などのディスク記録情報を含むディスク記録管理情報を記録管理領域２０１に記録する。この際、本実施例による第１の判断及び第２の判断により、記録管理領域２０１にディスク記録管理情報を記録するための未記録領域が存在していることは言うまでもない。
【００７３】
以上により、記録済容量と記録可能容量との割合を元にディスク記録管理情報の更新可否の判断をするための手段を設け、ディスク記録管理情報の記録を行う条件を適切に判断して、ユーザデータ記録終了時に極力ディスク記録管理情報を記録するようにすることで、有限のディスク記録管理領域に効率的に記録を行うとともにディスク排出や電源オフの処理時間を短縮し、次の電源投入時やディスク挿入時に素早く記録を行うことができる使い勝手の良いディスク記録装置を提供することができる。
【００７４】
また、ファイナライズ処理においてもディスク記録管理情報記録する領域を確保し、ファイナライズ処理を行うことが出来る。
【実施例２】
【００７５】
ディスク記録装置における、第１の判断方法の第２の実施例について説明する。実施例２におけるディスク記録装置は実施例１と同様の構成であり、その記録手順や記録方法も実施例１と同様であるので、ここでの説明は省略する。
【００７６】
ここでは、前回の記録時にディスク記録管理情報を記録した時点を基準として考え、前回の記録時にディスク記録管理情報を記録した時点での映像音声記録領域２０７の未記録領域部分の残記録可能容量に対するその後追加記録した映像音声データの記録容量の割合である追加率と、前回の記録時にディスク記録管理情報を記録した時点でのディスク記録管理領域２０１の未記録領域部分の残記録可能数に対する次に記録しようとするディスク記録管理情報を追加記録したとした場合のディスク記録管理情報記録数の割合である追加率に着目する。
【００７７】
なお、前回記録時のディスク記録管理情報の記録は、ステップ１１０やステップ１１２の処理などによって、本ディスク記録装置によって記録されて場合だけでなく、他のディスク記録装置によって記録された場合も含まれる。
【００７８】
図７は、前回ディスク記録管理情報を記録した時点を基準とした、映像音声記録領域２０７の未記録領域部分の残記録可能容量に対するその後追加記録した映像音声データの記録容量の割合である追加率と、ディスク記録管理領域２０１の未記録領域部分の残記録可能数に対する次に記録しようとするディスク記録管理データを追加記録したとした場合のディスク記録管理情報記録数の割合である追加率の関係を示したグラフである。横軸は映像音声記録領域２０７の未記録領域部分の残記録可能容量に対するその後追加記録した映像音声データの記録容量の割合である追加率である。縦軸はディスク記録管理領域２０１の未記録領域部分の残記録可能数に対する次に記録しようとするディスク記録管理データを追加記録したとした場合のディスク記録管理情報記録数の割合である追加率である。
【００７９】
ここで、映像音声記録領域２０７の未記録領域部分の残記録可能容量に対するその後記録した映像音声データの記録容量の割合である追加率と、ディスク記録管理領域２０１の未記録領域部分の残記録可能数に対する次に記録しようとするディスク記録管理データを記録したとした場合のディスク記録管理情報記録数の割合である追加率の関係がＢ線より上にある場合、前回記録時にディスク記録管理情報を記録した時点を基準としたその後記録した映像音声記録に対しディスク記録管理情報が多く記録されてしまうことを示している。つまり、このＢ線上より上にある場合に、さらにディスク記録管理領域２０１への記録を進めると、最終的に映像音声記録領域２０７の容量を使い切る前に、ディスク記録管理領域２０１の容量を使い切ってしまうこともありえる。
【００８０】
逆に映像音声記録領域２０７の未記録領域部分の残記録可能容量に対するその後記録した映像音声データの記録容量の割合である追加率と、ディスク記録管理領域２０１の未記録領域部分の残記録可能数に対する次に記録しようとするディスク記録管理データを記録したとした場合のディスク記録管理情報記録数の割合である追加率の関係がＢ線より下にある場合、前回記録時にディスク記録管理情報を記録した時点を基準としたその後記録した映像音声記録に対しディスク記録管理情報記録が少ないことを示している。この割合であれば、ディスク記録管理領域２０１への記録をしたとしても、映像音声記録領域２０７の容量を使い切るまでに、ディスク記録管理領域２０１の記録容量を使い切ることは無いと考えられ、映像音声記録領域２０７の最大記録可能容量を有効に使用することが出来る。
【００８１】
つまり、ステップ１０９において、映像音声記録領域２０７の追加率と、ディスク記録管理情報の追加率の関係が、Ｂ線上またはＢ線より下にあれば、映像音声記録領域２０７の記録容量を無駄にすることなく、更なるディスク記録管理情報の記録することが出来ると判断できる。
【００８２】
以上を、計算式で表すと以下の式３．１となる。
【００８３】
（ｂ３／ｂ４）／（ａ３／ａ４）≦１              ‥‥‥  式３．１
ａ３：前回ディスク記録管理情報を記録した時点からの、記録した映像音声データ容量
ａ４：前回ディスク記録管理情報を記録した時点の、映像音声記録領域の残記録容量
ｂ３：次に記録するディスク記録管理情報記録数（すなわち１）
ｂ４：ディスク記録管理領域２０１のディスク記録管理情報の残記録可能数
【００８４】
式３．１が成立した場合に、ディスク記録管理領域２０１にディスク記録管理情報を記録しても良いと判断できることとなる。
【００８５】
さらに、ファイナライズ処理においては、記録管理領域２０１には、最低限１つのディスク記録管理情報が記録できるだけの未記録領域を確保しておく必要があることを考慮した場合は、既に記録されているディスク記録管理情報記録数ｂ３に、さらに１を加えた式３．２とするようにしてもよい。
【００８６】
（（ｂ３＋１）／ｂ４）／（ａ３／ａ４）≦１              ‥‥‥  式３．２
【００８７】
さらに、ステップ１１１における第２の判断により、ディスク記録管理領域２０１にディスク記録管理情報を記録する場合や、ディスクの汚れなどの要因により、ディスク記録管理領域２０１の未記録領域の先頭に正常に記録できず、再度ディスク記録管理領域２０１の次の未記録位置に記録を行う動作をする場合などのための予備の領域を、記録管理領域２０１に確保することを考慮した場合は、式３．３とするようにしてもよい。
【００８８】
（（ｂ３＋γ）／ｂ４）／（ａ３／ａ４）≦１              ‥‥‥  式３．３
γ：ディスク記録管理情報記録予備数（但し  γ≧１）
【００８９】
本第２の実施例では、式３．３を第１の判断の基準としており、ステップ１０９において、式３．３が成立する場合、ステップ１１０に移行し、最新のディスク記録管理情報をディスク記録管理領域２０１の記録先頭位置に記録した後ステップ１０５に移行する。ステップ１０９において、式３．３が成立しない場合は、ステップ１１０の処理は行わずにステップ２０５に移行する。
【００９０】
ここで、本実施例では第１の判断の基準として、式３．３を使用したが、予備のための領域を必要としない場合は、式３．１、式３.２のいずれかを使用しても構わない。
【００９１】
以上により、記録済容量と記録可能容量との割合を元にディスク記録管理情報の更新可否の判断をするための手段を設け、ディスク記録管理情報の記録を行う条件を適切に判断して、ユーザデータ記録終了時に極力ディスク記録管理情報を記録するようにすることで、有限のディスク記録管理領域に効率的に記録を行うとともにディスク排出や電源オフの処理時間を短縮し、次の電源投入時やディスク挿入時に素早く記録を行うことができる使い勝手の良いディスク記録装置を提供することができる。
【００９２】
また、ファイナライズ処理においてもディスク記録管理情報記録する領域を確保し、ファイナライズ処理を行うことが出来る。
【図面の簡単な説明】
【００９３】
【図１】本実施例のディスクへの映像音声データの記録手順を示すフローチャート
【図２】追記型光ディスクの領域構造図
【図３】本実施例のディスク記録装置の一実施例を示すブロック図
【図４】ファイナライズ処理する前の追記可能状態における、追記型光ディスクの各領域の状態を示す領域構成図
【図５】ファイナライズ処理手順を示すフローチャート
【図６】映像音声記録領域の既記録率と、ディスク記録管理情報の既記録率の関係を示したグラフ
【図７】前回ディスク記録管理情報を記録した時点を基準とした、映像音声記録領域の追加率と、記録管理データを記録したとした場合の追加率の関係を示したグラフ
【符号の説明】
【００９４】
２０１…ディスク記録管理領域、２０２…リードイン領域、
２０３…ユーザデータ記録領域、２０４…リードアウト領域、
２０５…ファイルシステム領域、２０６…映像音声管理情報領域、
２０７…映像音声記録領域、３０１…追記型光ディスク、３０２…光ヘッド部、
３０３…スピンドルモータ、３０４…制御手段、３０５…記録再生手段、
３０６…メモリ、３０７…装置の電源、３０８…ディスクの排出手段、
３０９…レンズ、３１０…固体撮像素子、３１１…信号処理手段、
３１２…バッファメモリ、３１３…マイク
【図１】
2006127560.tif 000003
【図２】
2006127560.tif 000004
【図３】
2006127560.tif 000005
【図４】
2006127560.tif 000006
【図５】
2006127560.tif 000007
【図６】
2006127560.tif 000008
【図７】
2006127560.tif 000009